【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
周波数変調連続波（ＦＭＣＷ）レーダーシステムであって、
デジタル中間周波数（ＩＦ）信号を生成するように構成されるレシーバと、
前記デジタルＩＦ信号を受信するように前記レシーバに結合される干渉モニタリング構成要素であって、前記デジタルＩＦ信号における少なくとも１つのサブバンドを干渉についてモニタリングし、前記サブバンドに干渉が存在するかを判定するために前記少なくとも１つのサブバンドの各サブバンドに対して時間の関数として受信信号強度インジケータ（ＲＳＳＩ）値を演算するように構成され、前記少なくとも１つのサブバンドが前記ＦＭＣＷレーダーシステムから送信されるレーダー信号を含まない、前記干渉モニタリング構成要素と、
を含む、ＦＭＣＷレーダーシステム。
【請求項２】
請求項１に記載のＦＭＣＷレーダーシステムであって、
前記干渉モニタリング構成要素が、少なくとも１つの干渉影響インジケータを生成するために、少なくとも１つの干渉閾値に基づいて各ＲＳＳＩ値を量子化するように更に構成される、ＦＭＣＷレーダーシステム。
【請求項３】
請求項１に記載のＦＭＣＷレーダーシステムであって、
前記少なくとも１つのサブバンドが、前記デジタルＩＦ信号のイメージバンドにおけるサブバンドと前記デジタルＩＦ信号の上側ナイキストバンドにおけるサブバンドとの一方又は両方を含む、ＦＭＣＷレーダーシステム。
【請求項４】
請求項１に記載のＦＭＣＷレーダーシステムであって、
前記ＦＭＣＷレーダーシステムにおけるトランスミッタがオンである間に、チャープのフレームの各チャープに対してＲＳＳＩ値が生成される、ＦＭＣＷレーダーシステム。
【請求項５】
請求項１に記載のＦＭＣＷレーダーシステムであって、
前記デジタルＩＦ信号が、前記ＦＭＣＷレーダーシステムにおけるトランスミッタがオフの間に生成される、ＦＭＣＷレーダーシステム。
【請求項６】
請求項１に記載のＦＭＣＷレーダーシステムであって、
前記ＦＭＣＷレーダーシステムにおける任意のトランスミッタがチャープ間でオフである間に、チャープのフレームの各チャープに対してＲＳＳＩ値が生成され、
前記デジタルＩＦ信号が各チャープランプ後部の間に生成され、前記少なくとも１つのサブバンドが前記ＩＦ信号の全帯域幅である、ＦＭＣＷレーダーシステム。
【請求項７】
請求項１に記載のＦＭＣＷレーダーシステムであって、
前記デジタルＩＦ信号が、前記ＦＭＣＷレーダーシステムにおける任意のトランスミッタがオフである間にチャープフレームの送信前に前記ＦＭＣＷレーダーシステムの全周波数範囲のスキャンによって生成され、
前記少なくとも１つのサブバンドが前記周波数範囲の全帯域幅である、ＦＭＣＷレーダーシステム。
【請求項８】
請求項１に記載のＦＭＣＷレーダーシステムであって、
前記ＦＭＣＷレーダーシステムにおける任意のトランスミッタが前記１つ又は複数のチャープ間でオフである間に、チャープのフレームの１つ又は複数のチャープの後に、ＲＳＳＩ値が生成され、
前記デジタルＩＦ信号が前記ＦＭＣＷレーダーシステムの全周波数範囲のスキャンによって生成され、
前記少なくとも１つのサブバンドが前記周波数範囲の全帯域幅である、ＦＭＣＷレーダーシステム。
【請求項９】
周波数変調連続波（ＦＭＣＷ）レーダーにおける干渉検出のための方法であって、
前記ＦＭＣＷレーダーの干渉モニタリング構成要素において、前記ＦＭＣＷレーダーのレシーバからデジタル中間周波数（ＩＦ）信号を受信することと、
前記干渉モニタリング構成要素によって、前記デジタルＩＦ信号における少なくとも１つのサブバンドを干渉についてモニタリングすることであって、前記少なくとも１つのサブバンドが前記ＦＭＣＷレーダーから送信されるレーダー信号を含まない、前記モニタリングすることと、
を含み、
前記モニタリングすることが、前記サブバンドに干渉が存在するかを判定するために、前記少なくとも１つのサブバンドの各サブバンドに対して時間の関数として受信信号強度インジケータ（ＲＳＳＩ）値を演算することを含む、方法。
【請求項１０】
請求項９に記載の方法であって、
前記モニタリングすることが、少なくとも１つの干渉影響インジケータを生成するために、少なくとも１つの干渉閾値に基づいて各ＲＳＳＩ値を量子化することを更に含む、方法。
【請求項１１】
請求項９に記載の方法であって、
前記少なくとも１つのサブバンドが、前記デジタルＩＦ信号のイメージバンドのサブバンドと前記デジタルＩＦ信号の上側ナイキストバンドのサブバンドとの一方又は両方を含む、方法。
【請求項１２】
請求項９に記載の方法であって、
前記ＦＭＣＷレーダーシステムにおけるトランスミッタがオンである間に、チャープのフレームの各チャープに対してＲＳＳＩ値が生成される、方法。
【請求項１３】
請求項９に記載の方法であって、
前記デジタルＩＦ信号が、前記ＦＭＣＷレーダーシステムにおけるトランスミッタがオフである間に生成される、方法。
【請求項１４】
請求項９に記載の方法であって、
前記ＦＭＣＷレーダーシステムの任意のトランスミッタがチャープ間でオフである間に、チャープのフレームの各チャープに対してＲＳＳＩ値が生成され、
前記デジタルＩＦ信号が各チャープランプ後部の間生成され、前記少なくとも１つのサブバンドが前記ＩＦ信号の全帯域幅である、方法。
【請求項１５】
請求項９に記載の方法であって、
前記ＦＭＣＷレーダーシステムの任意のトランスミッタがオフである間に、チャープのフレームの送信前に、前記デジタルＩＦ信号が、前記ＦＭＣＷレーダーシステムの全周波数範囲のスキャンによって生成され、
前記少なくとも１つのサブバンドが前記周波数範囲の全帯域幅である、方法。
【請求項１６】
請求項９に記載の方法であって、
前記ＦＭＣＷレーダーシステムにおける任意のトランスミッタが前記１つ又は複数のチャープ間でオフである間に、チャープのフレームの１つ又は複数のチャープの後に、ＲＳＳＩ値が生成され、
前記デジタルＩＦ信号が前記ＦＭＣＷレーダーシステムの全周波数範囲のスキャンによって生成され、
前記少なくとも１つのサブバンドが前記周波数範囲の全帯域幅である、方法。
【請求項１７】
周波数変調連続波（ＦＭＣＷ）レーダーシステムであって、
チャープのフレームの送信の間にデジタル中間周波数（ＩＦ）信号を生成するように構成されるレシーバと、
前記デジタルＩＦ信号を受信するために前記レシーバに結合されるデジタルフロントエンド（ＤＦＥ）構成要素であって、前記デジタルＩＦ信号からレーダー信号バンドを抽出するように構成される、前記ＤＦＥ構成要素と、
前記デジタルＩＦ信号を受信するために前記レシーバに結合される干渉モニタリング構成要素であって、前記デジタルＩＦ信号における複数のサブバンドの各サブバンドを干渉についてモニタし、干渉が前記サブバンドに存在するかどうかを判定するために前記複数のサブバンドの各サブバンドに対して時間の関数として受信信号強度インジケータ（ＲＳＳＩ）値を計算するように構成され、前記レーダー信号バンドが前記複数のサブバンドに含まれない、前記干渉モニタリング構成要素と、
を含む、ＦＭＣＷレーダーシステム。
【請求項１８】
請求項１７に記載のＦＭＣＷレーダーシステムであって、
前記干渉モニタリング構成要素が、少なくとも１つの干渉影響インジケータを生成するために、少なくとも１つの干渉閾値に基づいて各ＲＳＳＩ値を量子化するように更に構成される、ＦＭＣＷレーダーシステム。
【請求項１９】
請求項１７に記載のＦＭＣＷレーダーシステムであって、
前記複数のサブバンドが、前記デジタルＩＦ信号のイメージバンドにおけるサブバンドと前記デジタルＩＦ信号の上側ナイキストバンドにおけるサブバンドとの１つ又は双方を含む、ＦＭＣＷレーダーシステム。
【請求項２０】
請求項１７に記載のＦＭＣＷレーダーシステムであって、
前記複数のサブバンドが、前記ＦＭＣＷレーダーシステムから送信されるレーダー信号を含まない、ＦＭＣＷレーダーシステム。